(57)【特許請求の範囲】
【請求項１】
直線状の頂部と、前記頂部から斜め下方に傾斜している対の傾斜面と、を備えている既設の建物の屋根に防水シートを被せる設置方法であって、
前記建物の下の任意の位置から前記屋根における複数の特徴点までの距離及び方向の各々を測定する距離・方向測定工程と、
前記距離・方向測定工程で測定された前記距離及び方向に基づいて、前記屋根の形状を算出する形状算出工程と、
前記形状算出工程で算出された前記屋根の形状に対応した形状の骨組に前記防水シートを張り巡らせた構造物を組み立てる構造物組立工程と、
前記構造物組立工程で組み立てられた前記構造物を前記建物の側方且つ下方から吊り上げて前記屋根に置くことで、前記屋根に前記防水シートを被せる構造物設置工程と、を備えていることを特徴とする
防水シートの設置方法。
【請求項２】
前記骨組は、
前記対の傾斜面の各々に配置され、各々が矩形状を有している対の枠体と、
前記対の枠体を互いに連結している連結具と、を備え、
前記防水シートは、前記対の枠体の一方から他方にわたって前記対の枠体の双方に張り巡らされることを特徴とする
請求項１に記載の防水シートの設置方法。
【請求項３】
前記連結具は、前記対の傾斜面の傾斜角度に応じて前記対の枠体同士がなす角度を選択する角度選択機構を有していることを特徴とする
請求項２に記載の防水シートの設置方法。
【請求項４】
前記対の枠体の各々に設けられ、前記構造物を吊り上げる際に引っ掛けられる複数のフックを備えていることを特徴とする
請求項２又は３に記載の防水シートの設置方法。
【発明の詳細な説明】
【技術分野】
【０００１】
本発明は、屋根に対する防水シートの設置方法に関する。
【背景技術】
【０００２】
戸建住宅等の建物の屋根が台風等の影響を受けて破損した場合、応急処置として破損した箇所にブルーシート等の防水シートを被せ、一時的に雨漏りを防止する（例えば、特許文献１参照）。
【先行技術文献】
【特許文献】
【０００３】
【特許文献１】実用新案登録第３１１６５７２号公報
【発明の概要】
【発明が解決しようとする課題】
【０００４】
この作業は、屋根の上に登って行う必要があり危険が伴う。
【０００５】
本発明は、上記課題を鑑みてなされたものであり、作業の危険性を低減する防水シートの設置方法を提供することを目的とする。
【課題を解決するための手段】
【０００６】
（１）本発明は、直線状の頂部と、前記頂部から斜め下方に傾斜している対の傾斜面と、を備えている既設の建物の屋根に防水シートを被せる設置方法であって、前記建物の下の任意の位置から前記屋根における複数の特徴点までの距離及び方向の各々を測定する距離・方向測定工程と、前記距離・方向測定工程で測定された前記距離及び方向に基づいて、前記屋根の形状を算出する形状算出工程と、前記形状算出工程で算出された前記屋根の形状に対応した形状の骨組に前記防水シートを張り巡らせた構造物を組み立てる構造物組立工程と、前記構造物組立工程で組み立てられた前記構造物を前記建物の側方且つ下方から吊り上げて前記屋根に置くことで、前記屋根に前記防水シートを被せる構造物設置工程と、を備えていることを特徴とする防水シートの設置方法である。
【０００７】
本発明によれば、ラフタークレーン等を用い、骨組に防水シートを張り巡らせた構造物を建物の下から吊り上げて屋根に置くことで、屋根に防水シートを被せることができる。一連の作業は、屋根の上に登って行う必要がなく、建物の下から行うことができるので、屋根から転落することはない。
【０００８】
（２）本発明は、前記骨組は、前記対の傾斜面の各々に配置され、各々が矩形状を有している対の枠体と、前記対の枠体を互いに連結している連結具と、を備え、前記防水シートは、前記対の枠体の一方から他方にわたって前記対の枠体の双方に張り巡らされることを特徴とする上記（１）に記載の防水シートの設置方法である。
【０００９】
本発明によれば、防水シートを張り巡らされた対の枠体を建物の下から吊り上げて屋根に置くことで、屋根に防水シートを被せることができる。対の枠体は、各々が矩形状を有しているので、簡易な構造物で屋根に防水シートを被せることができる。
【００１０】
（３）本発明は、前記連結具は、前記対の傾斜面の傾斜角度に応じて前記対の枠体同士がなす角度を選択する角度選択機構を有していることを特徴とする上記（２）に記載の防水シートの設置方法である。
【００１１】
本発明によれば、対の枠体を互いに連結している連結具が角度選択機構を有しているので、屋根における対の傾斜面の傾斜角度に応じて、対の枠体同士がなす角度を選択することができる。このため、屋根における対の傾斜面の傾斜角度に応じて、屋根に防水シートを被せることができる。
【００１２】
（４）本発明は、前記対の枠体の各々に設けられ、前記構造物を吊り上げる際に引っ掛けられる複数のフックを備えていることを特徴とする上記（２）又は（３）に記載の防水シートの設置方法である。
【００１３】
本発明によれば、防水シートを張り巡らされた対の枠体の各々に複数のフックが設けられているので、防水シートを張り巡らされた対の枠体を容易に吊り下げることができる。
【発明の効果】
【００１４】
本発明の上記（１）〜（４）に記載の防水シートの設置方法によれば、作業の危険性を低減することができる。
【図面の簡単な説明】
【００１５】
【図１】本発明の実施形態に係る防水シートの設置構造の外観斜視図である。
【図２】図１に示す防水シートの設置構造の外観斜視図であり、建物の屋根から仮想的に分解した状態を示す。
【図３】図１に示す防水シートの設置構造の正面図である。
【図４】図１に示す防水シートの設置構造の上面図であり、防水シートを省略して示す。
【図５】図１に示す防水シートの設置構造の上面図であり、連結具を省略して示す。
【図６】図１に示す防水シートの設置構造が備える防水シートの上面図である。
【図７】図１に示す防水シートの設置構造が備える連結具の正面図であり、（Ａ）はメインパネルを示し、（Ｂ）は一対の５分勾配用パネルを示し、（Ｃ）は一対の７分勾配用パネルを示す。
【図８】図７に示す連結具の正面図であり、（Ａ）は一対の５分勾配用パネルをメインパネルに固定した状態を示し、（Ｂ）は一対の７分勾配用パネルをメインパネルに固定した状態を示す。
【図９】本発明の実施形態に係る防水シートの設置方法を説明するフローチャートである。
【図１０】図９に示す防水シートの設置方法を説明する概略図であり、（Ａ）は距離・方向測定工程を示し、（Ｂ）は構造物組立工程を示し、（Ｃ）は構造物設置工程を示す。
【発明を実施するための形態】
【００１６】
以下、図面を参照して、本発明の実施形態に係る防水シートの設置構造１について詳細に説明する。
【００１７】
まず、図１〜図８を用いて、実施形態に係る防水シートの設置構造１の構成について説明する。図１は、本発明の実施形態に係る防水シートの設置構造１の外観斜視図である。図２は、図１に示す防水シートの設置構造１の外観斜視図であり、建物Ｈの屋根Ｒから仮想的に分解した状態を示す。図３は、図１に示す防水シートの設置構造１の正面図である。図４は、図１に示す防水シートの設置構造１の上面図であり、防水シート２０を省略して示す。図５は、図１に示す防水シートの設置構造１の上面図であり、連結具１２を省略して示す。図６は、図１に示す防水シートの設置構造１が備える防水シート２０の上面図である。図７は、図１に示す防水シートの設置構造１が備える連結具１２の正面図である。図７（Ａ）は、メインパネル１２０を示す。図７（Ｂ）は、一対の５分勾配用パネル１２１を示す。図７（Ｃ）は、一対の７分勾配用パネル１２２を示す。図８は、図７に示す連結具１２の正面図である。図８（Ａ）は、一対の５分勾配用パネル１２１をメインパネル１２０に固定した状態を示す。図８（Ｂ）は、一対の７分勾配用パネル１２２をメインパネル１２０に固定した状態を示す。
【００１８】
図１〜図８に示す防水シートの設置構造１は、戸建住宅等の建物Ｈが備える瓦屋根等の屋根Ｒが台風等の影響を受けて破損した場合に、応急処置として破損した箇所にブルーシート等の防水シート２０を被せ、一時的に雨漏りを防止する構造である。なお、建物Ｈの屋根Ｒは、直線状の頂部Ｒ１と、この頂部Ｒ１から斜め下方に傾斜している対の傾斜面Ｒ２と、を備えている。
【００１９】
具体的に、防水シートの設置構造１は、骨組１０と、防水シート２０と、複数のフック３０と、を備えている。
【００２０】
骨組１０は、建物Ｈの屋根Ｒの形状に対応した形状を有している。具体的に、骨組１０は、左右一対の枠体１１と、前後一対の連結具１２と、を備えている。
【００２１】
一対の枠体１１は、対の傾斜面Ｒ２の各々に配置され、各々が矩形状を有していると共にその大きさに応じて適宜中間材（符号省略）を補充して格子状に補強されている。
【００２２】
前後一対の連結具１２は、一対の枠体１１を互いに連結している。これら前後一対の連結具１２は、それぞれ、対の傾斜面Ｒ２の傾斜角度に応じて、対の枠体１１同士がなす角度を選択する角度選択機構１２ａを有している。具体的に、前後一対の連結具１２は、それぞれ、メインパネル１２０と、左右一対の５分勾配用パネル１２１と、左右一対の７分勾配用パネル１２２と、左右一対の枠体固定チャンネル１２３と、を備えている。
【００２３】
メインパネル１２０には、左右一対の５分勾配用パネル１２１及び左右一対の７分勾配用パネル１２２のうち、対の傾斜面Ｒ２の傾斜角度に応じて選択された一方がボルト及びナット（図示省略）で固定される。
【００２４】
左右一対の５分勾配用パネル１２１には、それぞれ、左右一対の枠体固定チャンネル１２３の各々が溶接等で固定されている。同様に、左右一対の７分勾配用パネル１２２には、それぞれ、左右一対の枠体固定チャンネル１２３の各々が溶接等で固定されている。
【００２５】
左右一対の枠体固定チャンネル１２３には、それぞれ、対の枠体１１の各々がボルト及びナット（図示省略）等で固定されている。
【００２６】
防水シート２０は、対の枠体１１の一方から他方にわたって対の枠体１１の双方に張り巡らされている。この防水シート２０の周縁には、枠体１１を構成するパイプが挿入される袋（符号省略）が適宜形成されている。
【００２７】
複数のフック３０は、左右一対の枠体固定チャンネル１２３に溶接等で適宜固定されていることで、対の枠体１１の各々に間接的に設けられ、連結具１２及び防水シート２０と共に対の枠体１１を吊り上げる際に引っ掛けられる。
【００２８】
次に、図９及び図１０を用いて、実施形態に係る防水シートの設置方法の流れを説明する。図９は、本発明の実施形態に係る防水シートの設置方法を説明するフローチャートである。図１０は、図９に示す防水シートの設置方法を説明する概略図である。図１０（Ａ）は、距離・方向測定工程Ｓ１０を示す。図１０（Ｂ）は、構造物組立工程Ｓ３０を示す。図１０（Ｃ）は、構造物設置工程Ｓ４０を示す。
【００２９】
図９に示す防水シートの設置方法は、防水シートの設置構造１（図１〜図５参照）に対応する方法である。すなわち、防水シートの設置方法は、戸建住宅等の建物Ｈが備える瓦屋根等の屋根Ｒが台風等の影響を受けて破損した場合に、応急処置として破損した箇所にブルーシート等の防水シート２０を被せ、一時的に雨漏りを防止する方法である。
【００３０】
具体的に、防水シートの設置方法は、距離・方向測定工程Ｓ１０と、形状算出工程Ｓ２０と、構造物組立工程Ｓ３０と、構造物設置工程Ｓ４０と、を備えている。
【００３１】
距離・方向測定工程Ｓ１０は、建物Ｈの下（地上）の任意の位置から屋根Ｒにおける複数の特徴点Ｐまでの距離及び方向（水平角・仰角）の各々を、測量器Ｍを用いて測定する工程である。
【００３２】
形状算出工程Ｓ２０は、周知の測量方法を用い、距離・方向測定工程Ｓ１０で測定された距離及び方向に基づいて、屋根Ｒの形状を算出する工程である。この形状算出工程Ｓ２０により、屋根Ｒの傾斜面Ｒ２が５分勾配であるか、あるいは７分勾配であるかを把握する。
【００３３】
構造物組立工程Ｓ３０は、形状算出工程Ｓ２０で算出された屋根Ｒの形状に対応した形状の骨組１０に防水シート２０を張り巡らせた構造物Ｓを組み立てる工程である。
【００３４】
構造物設置工程Ｓ４０は、構造物組立工程Ｓ３０で組み立てられた構造物Ｓを建物Ｈの下（地上）から吊り上げて屋根Ｒに置くことで、屋根Ｒに防水シート２０を被せる工程である。なお、構造物Ｓは、必要に応じて、ロープ（図示省略）等で屋根Ｒに固定される。
【００３５】
このように、防水シートの設置構造１は、直線状の頂部Ｒ１と、頂部Ｒ１から斜め下方に傾斜している対の傾斜面Ｒ２と、を備えている建物Ｈの屋根Ｒに防水シート２０を被せる設置構造であって、対の傾斜面Ｒ２の各々に配置され、各々が矩形状を有している対の枠体１１と、対の枠体１１を互いに連結している連結具１２と、対の枠体１１の一方から他方にわたって対の枠体１１の双方に張り巡らされている防水シート２０と、を備えている。
【００３６】
したがって、防水シートの設置構造１によれば、ラフタークレーン等を用い、防水シート２０を張り巡らされた対の枠体１１を建物Ｈの下から吊り上げて屋根Ｒに置くことで、屋根Ｒに防水シート２０を被せることができる。この作業は、屋根Ｒの上に登って行う必要がなく、建物Ｈの下から行うことができるので、屋根から転落することはない。結果、作業の危険性を低減することができる。
【００３７】
また、防水シートの設置構造１において、連結具１２は、対の傾斜面Ｒ２の傾斜角度に応じて対の枠体１１同士がなす角度を選択する角度選択機構１２ａを有している。
【００３８】
したがって、防水シートの設置構造１によれば、対の枠体１１を互いに連結している連結具が角度選択機構１２ａを有しているので、屋根Ｒにおける対の傾斜面Ｒ２の傾斜角度に応じて、対の枠体１１同士がなす角度を選択することができる。このため、屋根Ｒにおける対の傾斜面Ｒ２の傾斜角度に応じて、屋根Ｒに防水シート２０を被せることができる。
【００３９】
また、防水シートの設置構造１は、対の枠体１１の各々に設けられ、連結具１２及び防水シート２０と共に対の枠体１１を吊り上げる際に引っ掛けられる複数のフック３０を備えている。
【００４０】
したがって、防止シートの設置構造１によれば、防水シート２０を張り巡らされた対の枠体１１の各々に複数のフック３０が設けられているので、防水シート２０を張り巡らされた対の枠体１１を容易に吊り上げることができる。
【００４１】
また、防水シートの設置方法は、直線状の頂部Ｒ１と、頂部Ｒ１から斜め下方に傾斜している対の傾斜面Ｒ２と、を備えている建物Ｈの屋根Ｒに防水シート２０を被せる設置方法であって、建物Ｈの下の任意の位置から屋根Ｒにおける複数の特徴点Ｐまでの距離及び方向の各々を測定する距離・方向測定工程Ｓ１０と、距離・方向測定工程Ｓ１０で測定された距離及び方向に基づいて、屋根Ｒの形状を算出する形状算出工程Ｓ２０と、形状算出工程Ｓ２０で算出された屋根Ｒの形状に対応した形状の骨組１０に防水シート２０を張り巡らせた構造物Ｓを組み立てる構造物組立工程Ｓ３０と、構造物組立工程Ｓ３０で組み立てられた構造物Ｓを建物Ｈの下から吊り上げて屋根Ｒに置くことで、屋根Ｒに防水シート２０を被せる構造物設置工程Ｓ４０と、を備えている。
【００４２】
したがって、防水シートの設置方法によれば、ラフタークレーン等を用い、骨組１０に防水シート２０を張り巡らせた構造物Ｓを建物Ｈの下から吊り上げて屋根Ｒに置くことで、屋根Ｒに防水シート２０を被せることができる。一連の作業は、屋根Ｒの上に登って行う必要がなく、建物Ｈの下から行うことができるので、屋根Ｒから転落することはない。結果、作業の危険性を低減することができる。
【００４３】
また、防水シートの設置方法において、骨組１０は、対の傾斜面Ｒ２の各々に配置され、各々が矩形状を有している対の枠体１１と、対の枠体１１を互いに連結している連結具１２と、を備え、防水シート２０は、対の枠体１１の一方から他方にわたって対の枠体１１の双方に張り巡らされる。
【００４４】
したがって、防水シートの設置方法によれば、防水シート２０を張り巡らされた対の枠体１１を建物Ｈの下から吊り上げて屋根Ｒに置くことで、屋根Ｒに防水シート２０を被せることができる。対の枠体１１は、各々が矩形状を有しているので、簡易な構造物Ｓで屋根Ｒに防水シート２０を被せることができる。
【００４５】
また、防水シートの設置方法において、連結具１２は、対の傾斜面Ｒ２の傾斜角度に応じて対の枠体１１同士がなす角度を選択する角度選択機構１２ａを有している。
【００４６】
したがって、防水シートの設置方法によれば、対の枠体１１を互いに連結している連結具１２が角度選択機構１２ａを有しているので、屋根Ｒにおける対の傾斜面Ｒ２の傾斜角度に応じて、対の枠体１１同士がなす角度を選択することができる。このため、屋根Ｒにおける対の傾斜面Ｒ２の傾斜角度に応じて、屋根Ｒに防水シート２０を被せることができる。
【００４７】
また、防水シートの設置方法は、対の枠体１１の各々に設けられ、構造物Ｓを吊り上げる際に引っ掛けられる複数のフック３０を備えている。
【００４８】
したがって、防水シートの設置方法によれば、防水シート２０を張り巡らされた対の枠体１１の各々に複数のフック３０が設けられているので、防水シート２０を張り巡らされた対の枠体１１を容易に吊り下げることができる。
【００４９】
本発明は、上記各実施形態に限られるものではなく、その趣旨及び技術思想を逸脱しない範囲で種々の変形が可能である。すなわち、各構成の位置、大きさ、長さ、数量、形状、材質などは適宜変更できる。
【００５０】
例えば、上記実施形態では、屋根Ｒの全体に防水シート２０を被せる場合を例に図示した上で説明したが、本発明はこれに限定されず、破損した箇所及びその周辺にのみ防水シート２０を被せるようにしてもよい。この場合、枠体１１の大きさを適宜設定すればよく、対の枠体１１は互いに大きさが異なっていてもよい。
【００５１】
あるいは、上記実施形態では、前後一対の連結具１２が、それぞれ、メインパネル１２０と、左右一対の５分勾配用パネル１２１と、左右一対の７分勾配用パネル１２２と、等を備える場合を例に説明した。すなわち、上記実施形態では、屋根Ｒの傾斜面Ｒ２が５分勾配であるか、あるいは７分勾配である場合を例に説明したが、本発明はこれに限定されず、種々の傾斜角度に対応した角度選択機構１２ａを有しているものであってもよい。
【００５２】
あるいは、上記実施形態において、対の枠体１１同士がなす角度を微調整可能とするために、メインパネル１２０、又は左右一対の５分勾配用パネル１２１及び左右一対の７分勾配用パネル１２２に設けられているボルト孔（符号省略）を長孔とするようにしてもよい。
【符号の説明】
【００５３】
１  防水シートの設置構造
１０  骨組
１１  枠体
１２  連結具
１２ａ  角度選択機構
１２０  メインパネル
１２１  ５分勾配用パネル
１２２  ７分勾配用パネル
１２３  枠体固定チャンネル
２０  防水シート
３０  フック
Ｈ  建物
Ｒ  屋根
Ｒ１  頂部
Ｒ２  傾斜面
Ｐ  特徴点
Ｓ  構造物
Ｍ  測量器
Ｓ１０  距離・方向測定工程
Ｓ２０  形状算出工程
Ｓ３０  構造物組立工程
Ｓ４０  構造物設置工程
【要約】
【課題】作業の危険性を低減する。
【解決手段】防水シートの設置方法は、直線状の頂部Ｒ１と、頂部Ｒ１から斜め下方に傾斜している対の傾斜面Ｒ２と、を備えている建物Ｈの屋根Ｒに防水シート２０を被せる設置方法であって、建物Ｈの下の任意の位置から屋根Ｒにおける複数の特徴点Ｐまでの距離及び方向の各々を測定する距離・方向測定工程Ｓ１０と、距離・方向測定工程Ｓ１０で測定された距離及び方向に基づいて、屋根Ｒの形状を算出する形状算出工程Ｓ２０と、形状算出工程Ｓ２０で算出された屋根Ｒの形状に対応した形状の骨組１０に防水シート２０を張り巡らせた構造物Ｓを組み立てる構造物組立工程Ｓ３０と、構造物組立工程Ｓ３０で組み立てられた構造物Ｓを建物Ｈの下から吊り上げて屋根Ｒに置くことで、屋根Ｒに防水シート２０を被せる構造物設置工程Ｓ４０と、を備えている。
【選択図】図１０【図１】
0006777919.tif 000002
【図２】
0006777919.tif 000003
【図３】
0006777919.tif 000004
【図４】
0006777919.tif 000005
【図５】
0006777919.tif 000006
【図６】
0006777919.tif 000007
【図７】
0006777919.tif 000008
【図８】
0006777919.tif 000009
【図９】
0006777919.tif 000010
【図１０】
0006777919.tif 000011